【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
はめ込みたい画像をメモリから呼び出す第１の呼び出しステップと、
前記画像をはめ込むためのフレームの種類を選択する選択ステップと、
前記選択ステップにより選択された種類のフレームに対応するフレームデータと、
該フレームデータに他のデータをはめ込む部分を定義したマスクデータと、
前記フレームデータにはめ込むデータを変換するための変換関数とをメモリから呼び出す第２の呼び出しステップと、
前記フレームデータ中の前記マスクデータに対応する領域に対して、前記変換関数により前記画像の各画素の変換後の位置を求めて合成する合成ステップと
を有することを特徴とするデータ処理方法。
【請求項２】
はめ込みたい画像をメモリから呼び出す第１の呼び出し手段と、
前記画像をはめ込むためのフレームの種類を選択する選択手段と、
前記選択手段により選択された種類のフレームに対応するフレームデータと、該フレームデータに他のデータをはめ込む部分を定義したマスクデータと、
前記フレームデータにはめ込むデータを変換するための変換関数とをメモリから呼び出す第２の呼び出し手段と、
前記フレームデータ中の前記マスクデータに対応する領域に対して、前記変換関数により前記画像の各画素の変換後の位置を求めて合成する合成手段と
を有することを特徴とするデータ処理装置。
【請求項３】
はめ込みたい画像をメモリから呼び出す第１の呼び出しステップと、
前記画像をはめ込むためのフレームの種類を選択する選択ステップと、
前記選択ステップにより選択された種類のフレームに対応するフレームデータと、該フレームデータに他のデータをはめ込む部分を定義したマスクデータと、前記フレームデータにはめ込むデータを変換するための変換関数とをメモリから呼び出す第２の呼び出しステップと、
前記フレームデータ中の前記マスクデータに対応する領域に対して、前記変換関数により前記画像の各画素の変換後の位置を求めて合成する合成ステップとを有する制御プログラムを格納したことを特徴とする記憶媒体。
【手続補正２】
【補正対象書類名】明細書
【補正対象項目名】０００４
【補正方法】変更
【補正の内容】
【０００４】
本発明は上述した従来の技術の有するこのような問題点に鑑みてなされたものであり、その目的とするところは、はめこむデータをフレームデータのはめこむ位置や形に合うように変形して合成することができるようにしたデータ処理方法及び装置並びに記憶媒体を提供しようとするものである。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
【課題を解決するための手段】
上記目的を達成するために本発明によれば、データ処理方法に、はめ込みたい画像をメモリから呼び出す第１の呼び出しステップと、前記画像をはめ込むためのフレームの種類を選択する選択ステップと、前記選択ステップにより選択された種類のフレームに対応するフレームデータと、該フレームデータに他のデータをはめ込む部分を定義したマスクデータと、前記フレームデータにはめ込むデータを変換するための変換関数とをメモリから呼び出す第２の呼び出しステップと、前記フレームデータ中の前記マスクデータに対応する領域に対して、前記変換関数により前記画像の各画素の変換後の位置を求めて合成する合成ステップとを有することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
また、本発明の他の態様によれば、データ処理装置に、はめ込みたい画像をメモリから呼び出す第１の呼び出し手段と、前記画像をはめ込むためのフレームの種類を選択する選択手段と、前記選択手段により選択された種類のフレームに対応するフレームデータと、該フレームデータに他のデータをはめ込む部分を定義したマスクデータと、前記フレームデータにはめ込むデータを変換するための変換関数とをメモリから呼び出す第２の呼び出し手段と、前記フレームデータ中の前記マスクデータに対応する領域に対して、前記変換関数により前記画像の各画素の変換後の位置を求めて合成する合成手段とを有することを特徴とする。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】変更
【補正の内容】
【００２２】
また、本発明の他の態様によれば、記憶媒体に、はめ込みたい画像をメモリから呼び出す第１の呼び出しステップと、前記画像をはめ込むためのフレームの種類を選択する選択ステップと、前記選択ステップにより選択された種類のフレームに対応するフレームデータと、該フレームデータに他のデータをはめ込む部分を定義したマスクデータと、前記フレームデータにはめ込むデータを変換するための変換関数とをメモリから呼び出す第２の呼び出しステップと、前記フレームデータ中の前記マスクデータに対応する領域に対して、前記変換関数により前記画像の各画素の変換後の位置を求めて合成する合成ステップとを有する制御プログラムを格納したことを特徴とする。
【手続補正２１】
【補正対象書類名】明細書
【補正対象項目名】００５２
【補正方法】変更
【補正の内容】
【００５２】
【発明の効果】
以上説明したように本発明によれば、あるデータを貼り付ける領域を持ったフレームデータに対して、そのフレームデータに固有の変換式を対応つけることにより、自動的にフレームに合った変形を行いながらデータを合成することができるという効果を奏する。
【手続補正２２】
【補正対象書類名】明細書
【補正対象項目名】００５３
【補正方法】削除
【補正の内容】